(57)【要約】【課題】一定間隔で配置される羽板の枠体への取り付けが容易な木製ルーバを提供する。【解決手段】一対の縦枠材２ａと一対の横枠材２ｂとで構成される枠体２に、複数の羽板３が一定間隔で配置された木製ルーバ１において、複数の羽板３の両側面に、各羽板に回転可能に連接された第１の連結具と第２の連結具５とを備えている。そして第１の連結具が前記縦枠材に固定されることで、容易に一定間隔で配置される羽板３を枠体２に取り付けることができる。この木製ルーバ１は、羽板３の一つに、この羽板３の底面部から出し入れ自在な把持部を有する把手９を備えている。【選択図】  図１
2006009424.tif 000002
【特許請求の範囲】
【請求項１】
一対の縦枠材と一対の横枠材とで構成される枠体に、複数の羽板が一定間隔で配置された木製ルーバにおいて、
前記複数の羽板の両側面に、各羽板に連接された第１の連結具を備え、
前記第１の連結具が前記縦枠材に固定されていることを特徴とする木製ルーバ。
【請求項２】
前記第１の連結具は、回転可能に前記羽板に連接され、
前記複数の羽板の少なくとも一側面に、各羽板が回転可能に連接された第２の連結具を備えたことを特徴とする請求項１記載の木製ルーバ。
【請求項３】
前記第２の連結具と前記縦枠材との位置決めをする手段を備えたことを特徴とする請求項１または２記載の木製ルーバ。
【請求項４】
前記羽板の少なくとも一つに、この羽板の底面部から出し入れ自在な把持部を有する把手を備えたことを特徴とする請求項１から３のいずれかの項に記載の木製ルーバ。
【発明の詳細な説明】
【技術分野】
【０００１】
本発明は、室内の日照調整をする一定間隔で配置された羽板を有し、天然木を材料とした木製ルーバに関する。
【背景技術】
【０００２】
室内の日照の調整を行う建具としてルーバがある。このルーバは、窓の外側やベランダなどに葦簀の代わりとして配設することで、一定間隔で平行して並べられた羽板により室内に差し込む日差しを調整することができる。ルーバには、この羽板の角度が調整できるものがある。羽板の傾きを太陽の高度に応じて調整することで直射日光を遮りつつ、明かり取りや換気としての隙間を確保することができる。
【０００３】
ルーバは、アルミなどの軽金属を材料としたものが一般的である。アルミで形成されたルーバは軽くて耐久性があるが、蓄熱しやすいので夏や残暑が厳しい初秋の西日を受けて暖まり室内の空気を暖めるので、日差しを遮蔽できるものの室内が高温となって居住者が不快に感じたりする。
【０００４】
アルミとは対象的に天然木は蓄熱しにくい材質である。この天然木を用いてルーバを形成することで、日照による蓄熱が少ないルーバとすることができる。従って、角度の調整が可能な羽板を有する木製ルーバは、ルーバ自体の放熱が少なく、直射日光の差し込みを調整できるので、室内の気温の上昇をさらに抑えることができる優れた建具である。このような木製ルーバが特許文献１に記載されている。
【０００５】
特許文献１に記載の従来の木製ルーバを図８および図９に示す。図８および図９に示すように従来の木製ルーバは、木製のフレーム２１が持つ一対の平行な木製の縦枠材２２の間に複数の木製の羽板２３を回転可能に軸支し、羽板２３の傾斜に応じた遮蔽状態を形作るものである。羽板２３は、全長に亘って一様に扁平な楕円形の断面を有している。各羽板２３は、その中心に中空の硬直性を持った合成樹脂製骨パイプ２４が羽板２３の両端部にまで通されている。その中空部２５に、同じく硬直性を持った合成樹脂製の軸棒２６を通して羽板２３の両端から突出させている。そしてフレーム２１が持つ一対の平行な縦枠材２２に設けられた軸承部２７たる穴に双方の突出部２８をそれぞれ差し入れることで、羽板２３を縦枠材２２に取り付けてある。そしてそれぞれの羽板２３に設けられた連結ピン２９を連接する連動棒３０により羽板２３の角度調整を行うものである。
【特許文献１】特開２００３−１４８０６７号公報
【発明の開示】
【発明が解決しようとする課題】
【０００６】
このように、従来の木製ルーバは、羽板２３の両端部から突出した突出部２８を穴である軸承部２７に差し込むことで羽板２３を縦枠材２２に取り付けているので、羽板２３の枚数分の穴を一対の縦枠材２２にそれぞれ加工する必要がある。
【０００７】
木製ルーバは、枠体がアルミで形成されたルーバと比較して流通量が多くないため手作業で作製される。従って、プレス機などを用いて大量生産されるアルミ製ルーバと異なり、ドリルで１つずつ穴空け作業を行っている。
【０００８】
天然木である縦枠材はアルミなどの軽金属と比較して加工しやすい材質ではあるが、羽板の枚数が増えれば増えるほど、その手間は大きいものとなる。例えば、テラスタイプの窓に取り付ける木製ルーバであれば、羽板の枚数は約４０枚程度となり、縦枠材に約８０ヵ所の穴空け作業が必要となるので、その加工に多大な時間を要してしまう。
【０００９】
また、縦枠材に穴空け加工を施しているので、列状に形成する穴がずれたり、穴空け加工によりひび割れたりすると、縦枠材が使用できなり、加工している縦枠材が無駄になってしまう。
【００１０】
そこで本発明は、一定間隔で配置される羽板の枠体への取り付けが容易な木製ルーバを提供することを目的とする。
【課題を解決するための手段】
【００１１】
本発明の木製ルーバは、一対の縦枠材と一対の横枠材とで構成される枠体に、複数の羽板が一定間隔で配置された木製ルーバにおいて、前記複数の羽板の両側面に、各羽板に連接された第１の連結具を備え、前記第１の連結具が前記縦枠材に固定されたものである。
【００１２】
本発明の木製ルーバでは、それぞれの羽板は第１の連結具に連接されており、この第１の連結具が縦枠材に固定されているので、組み立てる際には、各羽板の両側面に第１の連結具を取り付けた後に、第１の連結具を縦枠材に固定するだけ組み立てを完了することができる。従って、縦枠材に羽板の枚数分の穴空け加工を施す必要がない。
【００１３】
前記第１の連結具は、回転可能に前記羽板に連接され、前記複数の羽板の少なくとも一側面に、各羽板が回転可能に連接された第２の連結具を備えたものであることが望ましい。第１の連結具が回転可能に羽板に連接し、第２の連結具が各羽板を回転可能に連接しているので、複数の羽板のうちの一つを動かすだけで、複数の羽板を連動させて角度を変えることができる。
【００１４】
さらに、前記第２の連結具と前記縦枠材との位置決めをする手段を備えたものであることが望ましい。複数の羽板を連動させて角度を変えた後に、第２の連結具と縦枠材との位置決めをする手段により羽板の角度を固定することができるので、羽板の自重や風の影響により羽板の角度が変わってしまうことを防止することができる。
【００１５】
そして、前記羽板の少なくとも一つに、この羽板の底面部から出し入れ自在な把持部を有する把手を備えたものであることが望ましい。第２の連結具で羽板は連結されているので、この羽板の角度を変更するには、少なくとも羽板の一つに把手が設けられていればよい。また、この把手は、底面部から出し入れ自在なので、本発明の木製ルーバを２枚使用して引き違いで使用する際には後ろ側となった木製ルーバに設けられた把手が、前側となった木製ルーバに干渉することがない。
【発明の効果】
【００１６】
本発明によれば次の効果を奏する。
【００１７】
（１）一対の縦枠材と一対の横枠材とで構成される枠体に、複数の羽板が一定間隔で配置された木製ルーバにおいて、複数の羽根の両側面に、各羽板が回転可能に連接された第１の連結具を備え、前記第１の連結具が前記縦枠材に固定されていることにより、組み立てる際には、各羽板の両側面に第１の連結具を取り付けた後に、第１の連結具を縦枠材に固定するだけで組み立てを完了することができる。よって、縦枠材に羽板の枚数分の穴空け加工を施す必要がないので、工数の削減を図ることができ、縦枠材への穴空けを失敗して無駄にすることが防止できる。
【００１８】
（２）複数の羽板の少なくとも一側面に、各羽板が回転可能に連接された第２の連結具を備えたことにより、複数の羽板のうちの一つを動かすだけで、容易に複数の羽板を連動させて角度を変えることができる。また、羽板の側面に第２の連結具を接続しているので、この木製ルーバを正面視または背面視したときに、第２の連結具が見えにくい位置にあるので、美観に優れた木製ルーバとすることができる。
【００１９】
（３）第２の連結具と前記縦枠材との位置決めをする手段を備えたことにより、位置決めをする手段により羽板の角度を固定することができるので、羽板の自重や風の影響により羽板の角度が変わってしまうことを防止することできる。
【００２０】
（４）羽板の少なくとも一つに、この羽板の底面部から出し入れ自在な把持部を備えたことにより、本発明の木製ルーバを２枚使用して引き違いで使用する際には後ろ側となった木製ルーバに設けられた把手が、前側となった木製ルーバに干渉することを防止できる。また、把持部が底面部から出し入れ自在なので、羽板の角度調整を行わないときには、羽板に隠れた状態とすることができる。よって美観にも優れた木製ルーバとすることができる。
【発明を実施するための最良の形態】
【００２１】
以下、本発明の実施の形態に係る木製ルーバの構成について図に基づいて説明する。図１は本発明の実施の形態に係る木製ルーバの正面図である。図２は羽板を連接した状態の第１の連結具と第２の連結具とを示す斜視図である。図３（ａ）は第１の連結具を示す図、同図（ｂ）は第２の連結具を示す図である。図４（ａ）は第１の連結具が羽板と縦枠材に取り付けられている状態を示す拡大断面図、同図（ｂ）は第２の連結具が羽板に取り付けられている状態を示す拡大断面図である。図５は第２連結具が可動する状態を説明する図である。図６は把手を説明する底面図である。
【００２２】
図１に示すように本発明の実施の形態に係る木製ルーバ１は、窓の外側に取り付けられており、下側レール２０の上を走行するように、下部に図示しないローラが設けられている。
【００２３】
木製ルーバ１は、矩形状に形成された枠体２と、この枠体２に一定間隔で配置された複数の羽板３とを備えている。枠体２は、一対の縦枠材２ａと一対の横枠材２ｂとから構成される。縦枠材２ａは、長さが１０００ｍｍの天然木の角材である。また、横枠材２ｂは、長さが８００ｍｍの天然木の角材である。
【００２４】
羽板３は、長さが７４０ｍｍの天然木であり、垂直断面が略楕円形に形成されている。羽板３の断面略楕円形の長軸方向の長さは、枠体２の厚み方向の長さより短く形成されている。また、羽板３を枠体２に取り付ける際にも、羽板３が枠体２の前後の開口面よりはみ出さないように取り付けられている。これは、この木製ルーバ１を引き違いとして使用した場合に、羽板３が前または後ろに位置する戸に干渉してしまうのを防止するためである。
【００２５】
図２に示すように、それぞれの羽板３の両側面には、回転可能に連接された第１の連結具４と第２の連結具５を備えている。第１の連結具４および第２の連結具５を、それぞれの羽板３の両側面に取り付けることで、羽板３を挟み込むように支持している。
【００２６】
各羽板の角度を調整する連動棒が、各羽板の長手方向中央部を横断するよう連接し、この連動棒が枠体の開口面よりはみ出すように設けられていると、引き違いとして使用する場合に、前または後となる木製ルーバに干渉するので、第２の連結具５により各羽板３の側面を連接するのが望ましい。また、第２の連結具５は、羽板３の一枚を角度調整する際に動かすと全部の羽板３が連動すればよいので、羽板３の一側面のみに設けるようにしてもよいが、強度を確保するために、両側面に設けるのが望ましい。第２の連結具５を羽板３の両側面に設けることで、第１の連結具４と第２の連結具５とで羽板３を挟み込むように支持できるので、さらに強度がアップする。
【００２７】
ここで、この第１の連結具４と第２の連結具５の構成を図３から図４に基づいて詳細に説明する。図３（ａ）に示すように、第１の連結具４は、羽板３の枚数分の貫通した羽板用穴４ａと、縦枠材２ａにネジ止めにより固定するための貫通した固定用穴４ｂとが設けられた細長い板である。この第１の連結具４は、強度を確保するためにアルミで形成されているが、美観を向上させるために天然木で形成してもよい。
【００２８】
羽板穴４ａの間隔は、羽板３の幅に応じて決定される。羽板３により直射日光の差し込みを完全に遮蔽する際には、各羽板３がそれぞれ重なり合うようにする必要があるので、羽板穴４ａの間隔を羽板３の長軸方向の長さより短い間隔とすることで、直射日光の差し込みを防止することができる。しかし、羽板穴４ａの間隔が短すぎると羽板３の枚数が多いものとなる。つまり羽板３の幅より少し短い間隔とすることで、羽板３の枚数を最適な数とすることができる。固定用穴４ｂは、縦枠材２ａの長さに応じて適宜決めることができる。
【００２９】
図３（ｂ）に示すように、第２の連結具５は、羽板３の枚数分の貫通した羽板用穴５ａと、図示しないピンを挿入してこの第２の連結具５および縦枠材２ａの位置決めをする貫通した位置決め用穴５ｂとが設けられている。この第２の連結具５は、第１の連結具４と同様に強度を確保するためにアルミで形成されているが、美観を向上させるために天然木で形成してもよい。羽板３の角度調整を行う際には縦枠材２ａと羽板３の間で第２の連結具５が移動するので、この隙間を確保するために、第２の連結具５の厚みは、第１の連結具４の厚みに等しいかまたは薄い方が望ましい。
【００３０】
羽板用穴５ａの間隔は、図３（ａ）に示される第１の連結具４の羽板用穴４ａの間隔と同じ距離である。そして位置決め用穴５ｂは、１つ設けられている。この位置決め用穴５ｂを複数設けても１つのみ使用すればよいので、第１の連結具４として形成した板を第２の連結具５としても使用することができる。第１の連結具４と第２の連結具５とを共通した部材とすることで、部材の種類を削減することができる。
【００３１】
次に、第１の連結具４と第２の連結具５が縦枠材２ａと羽板３に取り付けられている構造を図４に基づいて説明する。
図４（ａ）に示すように、第１の連結具４は、皿ネジ６を羽板穴４ａに挿通して羽板３に設けられたネジ穴３ａに差し込むことで、羽板３に取り付けられている。羽根３に設けられたネジ穴３ａの直径は皿ネジ６の直径と略等しく形成されているが、羽板３は天然木で形成されているので、ネジ穴３ａの内側面が皿ネジ６を挿入する際に研削される。この研削により皿ネジ６がネジ穴３ａ内で回転可能とすることができる。また、第１の連結具４は、木ネジ７を固定用穴４ｂに挿通して縦枠材２ａへねじ込むことで、縦枠材２ａに取り付けられている。
【００３２】
図４（ｂ）に示すように、第２の連結具５は、皿ネジ８を羽板穴５ａに挿通して羽板３に設けられたネジ穴３ｂに差し込むことで、羽板３に取り付けられている。羽根３に設けられたネジ穴３ｂの直径は皿ネジ８の直径と略等しく形成されているが、羽板３は天然木で形成されているので、ネジ穴３ｂの内側面が皿ネジ８を挿入する際に研削される。この研削により、皿ネジ８がネジ穴３ｂ内で回転可能とすることができる。
【００３３】
羽板３に第１の連結具４を取り付ける皿ネジ６と、第２の連結具５を取り付ける皿ネジ８を同じサイズのものを使用するのが望ましい。皿ネジ６，８を同じサイズのものを使用することで、ネジ穴３ａおよびネジ穴３ｂを同じ直径および深さとすることができる。ネジ穴３ａ，３ｂを同じ形とすることで、羽板３の両側面に区別の必要がない羽板３とすることができる。
【００３４】
次に、第２の連結具５と縦枠材２ａとの位置決めをする手段について図５に基づいて説明する。縦枠材２ａには、第２の連結具５が移動するときの位置決め用穴５ｂの位置に角度調整穴２ａ−１，２ａ−２，２ａ−３が設けられている。この角度調整穴２ａ−１，２ａ−２，２ａ−３のいずれかに、図示しないピンを、角度調整をした第２の連結具５の位置決め用穴５ｂに挿通させて挿入することで、第２の連結具５と縦枠材２ａとの位置決めを行うことができる。本実施の形態では角度調整穴２ａ−１，２ａ−２，２ａ−３を３ヵ所設けているが、羽板３を所望とする調整角度に応じて角度調整穴の位置を適宜決めることができる。
【００３５】
次に、羽板３に設けた把手について図６に基づいて説明する。
図６（ａ）に示すように、羽板３の一枚に把手９が設けられている。把手９は、木ネジ１０で羽板３に取り付けられる取り付け部９ａと、羽板３を角度調整する際に把持する把持部９ｂとを備えている。
【００３６】
把持部９ｂは、木ネジ１１を把持部９ｂの基端部に設けられた貫通した穴とともに、取り付け部９ａに設けられた貫通した穴に挿通して羽板３にねじ込むことで、羽根３に取り付けられている。
【００３７】
把持部９ｂの基端部に設けられた貫通した穴の直径は、木ネジ１１のネジ部の直径より大きく、皿部の直径より小さく形成されているので、把持部９ｂを回転可能とすることができる。把持部９ａが回転することで羽板３の底面部から出し入れ自在とすることができる。把持部９ｂの先端部には、把持部９ｂを回転させて羽板３の底面部に隠すときに、完全に隠れることを防止するストッパ部９ｃを設けるのが望ましい。ストッバ部９ｃを設けることで、把持部９ｂが完全に羽板３の底面部に入り込まないので、羽板３の角度調整を行う際にも容易に把持部９ｂを探すことができる。
【００３８】
この把手９は、羽板３の全てが第２の連結具５で連接されているので、少なくとも一枚の羽板３に一つ設ければよいが、羽板３の枚数が多くなると羽板３の角度調整の際の把持部９ｂにかかる負荷が大きくなるので、羽板３の枚数に応じて２つ以上設けてもよい。本実施の形態では、図１に示すように、２つの把手９を同じ羽板３に設けている。
【００３９】
また、把手９は、羽板３の底面部から把持部９ｂが出し入れ自在であればよいので、図６（ｂ）に示すような把手１２とすることもできる。図６（ｂ）に示す把手１２は、略コ字状に形成された保持部１２ａ−１が設けられた取り付け部１２ａと、この保持部１２ａ−１に挿通して出し入れする把持部１２ｂとを備えている。把持部１２ｂを取り出す際に、把持部１２ｂが外れないように把持部１２ｂの基端部に略Ｔ字状に形成された第１のストッパ部１２ｂ−１が設けられている。同様に、把持部１２ｂの先端部には羽板３に隠す際に把持部１２ｂが外れないように凸形状をした第２のストッパ部１２ｂ−２が設けられている。
【００４０】
以上のように構成される本発明の実施の形態に係る木製ルーバの製造方法を図１から図４に基づいて説明する。
【００４１】
まず一対の縦枠材２ａおよび一対の横枠材２ｂとで枠体２を組み立てる。これは縦枠材２ａの両端部にほぞ穴を形成し、横枠材２ｂの両端部にほぞを形成して、矩形状の枠となるようにそれぞれはめ込むことで容易に枠体２を組み立てることができる。
【００４２】
次に所定枚数の羽板３を準備する。この羽板３には両側面にネジ穴３ａ，３ｂが空けられている。また、第１の連結具４を２枚と、第２の連結具５を２枚とを準備する。
【００４３】
そして、図示しないクシ状に形成された治具を準備する。この治具のクシ歯部の隙間に羽板３の断面略楕円形の長軸方向が上下方向となるようにして並べる。そして羽板３の一側面に第１の連結具４と第２の連結具５とを皿ネジ６，８とで取り付ける。一側面側の取り付けが終わったら反対側となる側面にも第１の連結具４と第２の連結具５とを皿ネジ６，８で取り付ける。
【００４４】
第１の連結具４と第２の連結具５とで一定間隔に配置された羽板３を、枠体２へはめ込み、第１の連結具４の固定用穴４ｂに木ネジ７を挿通して縦枠材２ａへねじ込む。これを全ての固定用穴４ｂに施すことで羽板３の取り付けが完了する。
【００４５】
羽板３を枠体２に取り付けた後は、羽板３の所定の位置に把手９を取り付ける。また、この木製ルーバ１を出荷する際には、羽板３を所定の角度に合わせて、第２の連結具５の位置決め穴５ｂにピンを挿通し、縦枠材２ａに設けられた角度調整穴２ａ−１，２ａ−２，２ａ−３のどれかに挿入して出荷する。
【００４６】
このように、一対の縦枠材２ａにそれぞれ数カ所ほど木ネジ７をねじ込むだけで一定間隔に配置された羽板３の取り付けが完了するので、縦枠材２ａに羽板３の枚数分の穴空け加工を施す必要がない。従って、容易に羽板３の取り付けを行うことができる。
【００４７】
次に、本発明の実施の形態に係る木製ルーバ１の使用状態について図５に基づいて説明する。図５に示すように、羽板３の角度を調整する場合は、把手９の把持部９ｂを持ち先端部を回転させるように羽板３の底面部から引き出す。そして、日照を取り入れる場合は、把持部９ｂを持ち上げるようにして上方向へ動かす。そうすると、把手９が設けられた羽板３に第２の連結具４で他の羽板３が連接されているので、他の羽板３が連動して上方向へ動く。
【００４８】
所望とする角度、例えば羽板３が水平となった状態で位置決めする場合は、第２の連結具５の位置決め穴５ｂの位置と角度調整穴２ａ−３の位置が合ったときに、この２つの穴に挿通するようにピンを差し込む。このようにして羽板３の角度を調整する。そして、把持部９ｂの先端部を回転させるようにして、元の位置である羽板３の底面部にしまう。
【００４９】
次に本発明の他の実施の形態について図７に基づいて説明する。図７は本発明の他の実施の形態に係る木製ルーバを説明する図である。本発明の他の実施の形態に係る木製ルーバは、羽板の角度調整を９０°より大きい角度の範囲で調整可能としたものである。
なお、図７においては、図１から図６までと同じ構成を示すものは同符号を付して説明を省略する。
【００５０】
図７に示すように、木製ルーバ１５は、縦枠材２ａと横枠材２ｂとで構成される枠体２に羽板３が一定間隔に配置されている。羽板３は、その両側面を第１の連結具４と第２の連結具５とに回転可能に連接されている。
【００５１】
第１の連結具４は、第２の連結具５を円弧状に動かす際に、最も高い位置にある羽板３が横枠体２ｂに当たらないように、第１の連結具４の上方に横枠体２ｂとの隙間を確保して取り付けられている。羽板の角度が調整可能な一般のルーバでは、この隙間が確保されていないために、羽板が斜め下方向から水平となる９０°より小さい角度の範囲しか調整することができない。しかし、本発明の他の実施の形態に係る木製ルーバ１５では、この隙間を確保することにより、羽板３は、第１の連結具４との接続箇所を支点として略１５０°の角度の範囲で、羽板３の角度を調整することが可能である。
【００５２】
また、この隙間には、羽板３を水平方向から斜め下方向となるようにしたときに、屋外から室内が見えないように遮蔽する断面略三角形状に形成された遮蔽板１６が設けられている。この遮蔽板１６は、断面略三角形状とすることで、横枠材２ｂと接続面積を広くすることができるので、横枠材２ｂとの接続強度を大きいものとすることができる。遮蔽板１６は、隙間を通して外から見えないようにすればよいので、断面略矩形状としてもよいし、横枠材２ｂと一体的に形成してもよい。
このように、羽板３の角度調整を幅広く行えるようにしたことで、直射日光を遮蔽しつつ、道路を通行する人の視線を遮ることが可能な角度を調整することが可能である。
【００５３】
以上、本発明の実施の形態について説明してきたが、本発明は前記実施の形態に限定されるものではなく、例えば、第１の連結具と羽板との取り付けに際し、回転しないように木ネジで固定することで、羽板の角度調整ができない木製ルーバとすることも可能である。この場合においても、一定間隔に配置された羽板を第１の連結具で連接しているので、枠体に容易に取り付けることができる。その際には、第２の連結具も羽板に回転しないように木ネジで固定するのが望ましい。さらに、この第２の連結具を枠体に木ネジで固定することで、より強度の向上を図ることができる。
また、固定用穴と位置決め用穴とを同じ位置に設けることで、第１の連結具と第２の連結具とを共通した部材とした場合、羽板が水平となった状態で、第２の連結具の固定用穴に木ネジを挿通して枠体に第２の連結具を固定し、第１の連結具を固定している木ネジを外して角度調整自在とすると、羽板の傾斜の角度を逆向きとすることができる。
【産業上の利用可能性】
【００５４】
本発明は、枠体を構成する縦枠材に羽板の枚数分の穴空け加工が不要とすることで、工数の削減を図ることができるので、室内の日照調整をする一定間隔で配置された羽板を有し、天然木を材料とした木製ルーバに好適である。
【図面の簡単な説明】
【００５５】
【図１】本発明の実施の形態に係る木製ルーバの正面図である。
【図２】羽板を連接した状態の第１の連結具と第２の連結具とを示す斜視図である。
【図３】（ａ）は第１の連結具を示す図、（ｂ）は第２の連結具を示す図である。
【図４】（ａ）は第１の連結具が羽板と縦枠材に取り付けられている状態を示す拡大断面図、（ｂ）は第２の連結具が羽板に取り付けられている状態を示す拡大断面図である。
【図５】第２連結具が可動する状態を説明する図である。
【図６】把手を説明する底面図である。
【図７】本発明の他の実施の形態に係る木製ルーバを説明する図である。
【図８】従来の木製ルーバを説明する図である。
【図９】従来の木製ルーバを説明する図である。
【符号の説明】
【００５６】
１  木製ルーバ
２  枠体
２ａ  縦枠材
２ａ−１，２ａ−２，２ａ−３  角度調整穴
２ｂ  横枠材
３  羽板
３ａ，３ｂ  ネジ穴
４  第１の連結具
４ａ  羽板用穴
４ｂ  固定用穴
５  第２の連結具
５ａ  羽板用穴
５ｂ  位置決め用穴
６，８  皿ネジ
７  木ネジ
９  把手
９ａ  取り付け部
９ｂ  把持部
９ｃ  ストッバ部
１０  木ネジ
１１  木ネジ
１２  把手
１２ａ  取り付け部
１２ａ−１  保持部
１２ｂ  把持部
１２ｂ−１  第１のストッパ部
１２ｂ−２  第２のストッパ部
１５  木製ルーバ
１６  遮蔽板
２０  下側レール
【図１】
2006009424.tif 000003
【図２】
2006009424.tif 000004
【図３】
2006009424.tif 000005
【図４】
2006009424.tif 000006
【図５】
2006009424.tif 000007
【図６】
2006009424.tif 000008
【図７】
2006009424.tif 000009
【図８】
2006009424.tif 000010
【図９】
2006009424.tif 000011